(57)【特許請求の範囲】
【請求項１】
シリンジ外筒と、
該シリンジ外筒に対して移動可能であり、該シリンジ外筒内に配置されるプランジャヘッドを備えるプランジャと、
該シリンジ外筒に着脱可能に接続される固定具であって、該固定具は、バンドを備え、該バンドは、第１の縁部分と第２の縁部分とを備え、該第１の縁部分と該第２の縁部分とは、該固定具が該シリンジ外筒に設置された場合に、ロックを規定するように協働する、固定具と、
該固定具上のデータ記憶デバイスと
を備える、自動注入器シリンジアセンブリ。
【請求項２】
シリンジ外筒と、
該シリンジ外筒に対して移動可能であり、該シリンジ外筒内に配置されるプランジャヘッドを備えるプランジャと、
該シリンジ外筒に着脱可能に接続される固定具であって、該固定具は、スリーブを備え、該スリーブは、互いに対して自由に移動可能である第１の縁と第２の縁とを備え、該スリーブは、該スリーブを屈曲させることにより該第１の縁と該第２の縁との間の間隔を広げた第１の構成で処分可能であり、該シリンジ外筒に対する該スリーブの設置および除去の両方に適応する、固定具と、
該固定具上のデータ記憶デバイスと
を備える、自動注入器シリンジアセンブリ。
【請求項３】
前記シリンジ外筒と前記プランジャとを備える予充填されたシリンジをさらに備え、該予充填されたシリンジは、該シリンジ外筒内に医療流体を含む、請求項１および２のいずれかに記載の自動注入器シリンジアセンブリ。
【請求項４】
前記スリーブは、前記シリンジ外筒にクランプ留めされる、請求項２および３のいずれかに記載の自動注入器シリンジアセンブリ。
【請求項５】
前記第１の縁と前記第２の縁とは、前記スリーブが前記シリンジ外筒上に設置されている場合に、離間しているか、当接しているか、または重複している、請求項２−４のいずれかに記載の自動注入器シリンジアセンブリ。
【請求項６】
前記スリーブの直径は、該スリーブの前記第１の縁と前記第２の縁との間の相対位置によって規定され、該第１の縁と該第２の縁とは、相互に対して自由に移動可能である、請求項２−５のいずれかに記載の自動注入器シリンジアセンブリ。
【請求項７】
前記データ記憶デバイスは、前記スリーブの構造に統合される、請求項２−６のいずれかに記載の自動注入器シリンジアセンブリ。
【請求項８】
前記データ記憶デバイスは、前記スリーブに別個に取り付けられる、請求項２−６のいずれかに記載の自動注入器シリンジアセンブリ。
【請求項９】
前記バンドは、前記第１の縁部分と前記第２の縁部分との間の間隔を広げるための該バンドの屈曲に適応するように可撓性であることにより、該シリンジ外筒に対する該スリーブの設置および除去の両方に適応する、請求項１および３のいずれかに記載の自動注入器シリンジアセンブリ。
【請求項１０】
前記第１および第２の縁部分の一方はタブを備え、該第１および第２の縁部分の他方はノッチを備え、前記ロックは、該タブと該ノッチとを備える、請求項１、３および９のいずれかに記載の自動注入器シリンジアセンブリ。
【請求項１１】
ロック解除ツールをさらに備える、請求項１、３、９および１０のいずれかに記載の自動注入器シリンジアセンブリ。
【請求項１２】
前記ロック解除ツールは、前記ロックをロックされた構成からロック解除された構成に変更するように該ロックと係合可能であり、前記バンドは、該ロックが該ロック解除された構成にある前記シリンジ外筒から除去可能である、請求項１１に記載の自動注入器シリンジアセンブリ。
【請求項１３】
請求項１１−１２のいずれかに記載の自動注入器シリンジアセンブリを備え、前記ロック解除ツールは、該自動注入器と着脱可能に接続される、自動注入器。
【請求項１４】
請求項１１−１２のいずれかに記載の自動注入器シリンジアセンブリを備え、前記ロック解除ツールは、該自動注入器の構造に統合されている、自動注入器。
【請求項１５】
前記第１の縁部分と前記第２の縁部分とは、前記バンドが前記シリンジ外筒上に設置されている場合に、重複関係に配置されている、請求項１、３および９−１４のいずれかに記載の自動注入器シリンジアセンブリ。
【請求項１６】
前記固定具は、前記シリンジ外筒を構造的に補強する、請求項１−１５のいずれかに記載の自動注入器シリンジアセンブリ。
【請求項１７】
前記固定具は、再使用可能である、請求項１−１６のいずれかに記載の自動注入器シリンジアセンブリ。
【請求項１８】
前記固定具は、前記シリンジ外筒の周縁全体の周りに延在する、請求項１−１７のいずれかに記載の自動注入器シリンジアセンブリ。
【請求項１９】
前記固定具は、ロックを備える、請求項１および１６−１８のいずれかに記載の自動注入器シリンジアセンブリ。
【請求項２０】
ロック解除ツールをさらに備える、請求項１９に記載の自動注入器シリンジアセンブリ。
【請求項２１】
前記ロック解除ツールは、前記ロックをロックされた構成からロック解除された構成に変更するように、該ロックと係合可能であり、前記固定具は、該ロックが前記ロック解除された構成にある前記シリンジ外筒から除去可能である、請求項２０に記載の自動注入器シリンジアセンブリ。
【請求項２２】
請求項２０−２１のいずれかに記載の自動注入器シリンジアセンブリを備え、前記ロック解除ツールは、該自動注入器と着脱可能に接続される、自動注入器。
【請求項２３】
請求項２０−２１のいずれかに記載の自動注入器シリンジアセンブリを備え、前記ロック解除ツールは、該自動注入器の構造に統合されている、自動注入器。
【請求項２４】
前記データ記憶デバイスは、ＲＦＩＤタグを備える、請求項１−２３のいずれかに記載の自動注入器シリンジアセンブリ。
【請求項２５】
前記データ記憶デバイスは、順に、シリンジ状態、流体種類、濃度、製造日、ロット、充填日、充填体積、有効期限、患者識別情報、患者医療情報、または注入プロトコル情報のうちの少なくとも１つを含む記憶されたデータを含む、請求項１−２４のいずれかに記載の自動注入器シリンジアセンブリ。
【請求項２６】
前記データ記憶デバイスは、前記固定具に別個に取り付けられる、請求項１−６および９−２５のいずれかに記載の自動注入器シリンジアセンブリ。
【請求項２７】
前記データ記憶デバイスは、前記固定具の構造に組み込まれる、請求項１−６および９−２５のいずれかに記載の自動注入器シリンジアセンブリ。
【請求項２８】
医療流体を送達する方法であって、
第２の場所で医療流体を医療容器内に装填するステップと、
固定具を該医療容器上に設置するステップであって、該固定具は、データ記憶デバイスを備え、該設置するステップは、該医療容器上に配置するために該固定具を屈曲させるステップを含む、ステップと、
データを該データ記憶デバイスに記憶するステップと、
該固定具が該医療容器上に設置されている状態で、該医療容器を該第２の場所から第１の場所に輸送するステップと、
該第１の場所で、該装填するステップ、該設置するステップ、および該記憶するステップのそれぞれの後に、かつ、該固定具が該医療容器上に設置されたままの状態で、該医療流体を該医療容器から放出するステップと、
該放出するステップ後に、該固定具を該医療容器から除去するステップであって、該除去するステップは、該固定具および該データ記憶デバイスが後続の該方法の実行のために再使用されることを可能にすることを含む、ステップと
を含む、方法。
【請求項２９】
前記設置するステップは、前記第２の場所で実行される、請求項２８に記載の方法。
【請求項３０】
前記設置するステップは、前記装填するステップの前に実行される、請求項２８−２９のいずれかに記載の方法。
【請求項３１】
前記第１の場所は、撮像室、カテーテル検査室、および病室から成る群から選択される、請求項２８−３０のいずれかに記載の方法。
【請求項３２】
前記方法は、前記データ記憶デバイス上に記憶されたデータを読み取るステップをさらに含む、請求項２８−３１のいずれかに記載の方法。
【請求項３３】
前記読み取るステップは、前記放出するステップに先立って、前記第１の場所で実行される、請求項３２に記載の方法。
【請求項３４】
前記医療容器は、シリンジである、請求項２８−３３のいずれかに記載の方法。
【請求項３５】
前記医療容器は、自動注入器シリンジである、請求項２８−３４のいずれかに記載の方法。
【請求項３６】
前記記憶するステップは、前記データ記憶デバイスに前記医療流体に関するデータを記憶するステップを含む、請求項２８−３５のいずれかに記載の方法。
【請求項３７】
前記設置するステップの前記屈曲させるステップは、前記固定具の第１の縁と第２の縁との間の間隔を広げることにより、前記医療容器上での該固定具の位置づけに適応することを含む、請求項２８−３６のいずれかに記載の方法。
【請求項３８】
前記設置するステップは、前記固定具を前記医療容器上にロックするステップを含む、請求項２８−３７のいずれかに記載の方法。
【請求項３９】
前記除去するステップは、前記固定具を前記医療容器からロック解除するステップを含む、請求項２８−３８のいずれかに記載の方法。
【請求項４０】
前記ロック解除するステップは、ツールを操作するステップを含む、請求項３９に記載の方法。
【請求項４１】
前記設置するステップは、前記固定具を前記医療容器上に掛止するステップを含む、請求項２８−３７のいずれかに記載の方法。
【請求項４２】
前記除去するステップは、前記固定を掛止解除し、その後、該固定具を前記医療容器から取り除くステップを含む、請求項４１に記載の方法。
【請求項４３】
前記除去するステップは、前記固定具を前記医療容器から取り外すステップを含む、請求項２８−４２のいずれかに記載の方法。
【請求項４４】
前記放出するステップは、
前記医療容器を自動注入器上に設置するステップと、
該自動注入器を操作するステップと
を含む、請求項２８−４３のいずれかに記載の方法。
【請求項４５】
再使用のために、前記固定具を前記第１の場所から前記第２の場所に輸送するステップと、
前記データを前記データ記憶デバイスから消去するステップと、
該固定具を第２の医療容器上に設置するステップと、
該第２の場所で、該第２の医療容器内に第２の医療流体を装填するステップと、
第２のデータセットを該データ記憶デバイスに記憶するステップと、
該第２の医療容器に関連する該設置するステップ、該装填するステップ、および該記憶するステップのそれぞれの後に、かつ、該固定具が該第２の医療容器上に設置されたままで、
該第２の医療流体を該第２の医療容器から放出するステップと、
該第２の医療容器に関連する該放出するステップの後に、該固定具を該第２の医療容器から除去するステップであって、該除去するステップは、該方法の後続の実行のために、該固定具および該データ記憶デバイスを再使用可能にすることを含む、ステップと、
をさらに含む、請求項２８−４４のいずれかに記載の方法。
【請求項４６】
前記消去するステップおよび前記記憶するステップは、集合的に、
前記第２のデータセットを前記データセットに上書きするステップを含む、請求項４５に記載の方法。
【請求項４７】
前記除去するステップに応答して、前記データを前記データ記憶デバイスから自動的に消去するステップをさらに含む、請求項２８−４４のいずれかに記載の方法。
【発明の詳細な説明】
【技術分野】
【０００１】
（関連出願）
本願は、米国仮特許出願第６１／１６７，５４８号（２００９年４月８日出願、名称「ＭＥＤＩＣＡＬ  ＦＬＵＩＤ  ＤＥＬＩＶＥＲＹ  ＳＹＳＴＥＭ  ＷＩＴＨ  ＲＥＵＳＡＢＬＥ  ＲＦＩＤ  ＦＩＸＴＵＲＥ」）に基づく優先権を主張する。
【０００２】
（発明の分野）
本発明は、概して、医療流体送達システムに関し、より具体的には、そのような医療流体送達システムに関連する追跡／管理情報に関する。
【背景技術】
【０００３】
種々の医療手技は、１つ以上の医療流体が患者に注入されることを要求する。例えば、医療撮像手技は、しばしば、おそらく生理食塩水および／または他の流体とともに、患者への造影剤の注入を伴う。他の医療手技は、治療目的で患者に１つ以上の流体を注入することを伴う。自動注入器が、これらの種類の用途に使用され得る。
【０００４】
自動注入器は、概して、一般的にパワーヘッドと呼ばれるものを含む。１つ以上のシリンジが、種々の様式で（例えば、着脱可能に、後方装填式、前方装填式、側面装填式）パワーヘッドに搭載され得る。各シリンジは、典型的には、シリンジプランジャ、ピストン等として特徴付けられ得るものを含む。シリンジプランジャドライバの動作が、シリンジの外筒の内側で、およびそれに対して、関連シリンジプランジャを軸方向に前進させるように、それぞれのそのようなシリンジプランジャは、パワーヘッドに組み込まれる適切なシリンジドライバと界面接触する（例えば、接触および／または一時的に相互接続する）ように設計される。１つの典型的なシリンジプランジャドライバは、ネジ山付き主ネジまたは駆動ネジに搭載される、ラムの形態である。１つの回転方向への駆動ネジの回転が、１つの軸方向に関連ラムを前進させる一方で、反対の回転方向への駆動ネジの回転は、反対の軸方向に関連ラムを前進させる。
【０００５】
無線自動識別（「ＲＦＩＤ」）タグは、種々の用途において、ますます人気になりつつある。ＲＦＩＤタグは、医療用途に関連して、具体的には、自動注入器に関して、対処されている。例えば、ＲＦＩＤタグは、自動注入器シリンジに取り付けられ、少なくともある医療情報を有してエンコードされる。多くの場合、自動注入器シリンジは、使い捨てであって（すなわち、単回注入のために設計されている）、したがって、任意の関連ＲＦＩＤタグを含むシリンジ全体が、使用後、廃棄される。
【発明の概要】
【課題を解決するための手段】
【０００６】
本明細書で使用される場合、「流体的に相互接続された」等の語句は、その間の所定の流路で流体が（例えば、一方向に、または双方向に）流動できるような様式で（直接または間接的に）、２つ以上の構成要素または実体が接続されていることを指す。例えば、「シリンジと流体的に相互接続される導管」は、流体が、シリンジから任意の相互接続デバイス（例えば、管類、コネクタ）を通して、導管の中へと流動することができる、構成を表す。
【０００７】
本明細書で使用される場合、「着脱可能に搭載された」、「着脱可能に相互接続された」、「着脱可能に接続された」等の語句は、構成要素が相互接続されるが、相互から取り外される能力を保持し、取り外し後に、構成要素のそれぞれが使用可能な状態のままである、構成要素間の関係を表す。例えば、「データ記憶デバイスを組み込み、シリンジに着脱可能に搭載される、スリーブ」とは、スリーブが、スリーブをシリンジから取り外すことを可能にする様式で、シリンジに現在搭載されている状況を表す。さらに、そのような取り外し後、スリーブおよびシリンジは両方とも、使用可能な状況のままである。例えば、スリーブは、別のシリンジに再取り付けられ、次いで、また、一定時間後、そこから取り外され得る。
【０００８】
本明細書で使用される場合、「視野」という用語は、データリーダに関連して使用される場合、ある領域内のデータ記憶デバイスが、データリーダによって読取可能である、データリーダに近接するその領域を表す。
【０００９】
本明細書で使用される場合、「オペレータ」とは、流体を患者内に注入するプロセスに関与し得る、任意の適切な人物であり得る。故に、オペレータとして、撮像技術者、看護士、医師、および／または任意の他の適切な医療従事者を含み得る。
【００１０】
本発明の第１の局面は、シリンジ外筒と、プランジャと、シリンジ外筒に着脱可能に接続される、固定具と、固定具上のデータ記憶デバイスとを含む、自動注入器シリンジアセンブリによって具現化される。プランジャは、シリンジ外筒に対して移動可能であって、シリンジ外筒内に配置される、プランジャヘッドを含む。
【００１１】
いくつかの特徴の改良および追加特徴が、本発明の第１の局面に適用可能である。これらの特徴の改良および追加特徴は、個別に、または任意の組み合わせで使用され得る。そのようなものとして、論議される以下の特徴のそれぞれは、任意の他の特徴または第１の局面の特徴の組み合わせとともに使用され得るが、そのように要求はされない。以下の論議は、本発明の第２の局面の論議の開始まで、第１の局面に適用可能である。
【００１２】
自動注入器シリンジアセンブリのプランジャおよびシリンジ外筒は、シリンジ外筒が、第１の場所で予充填される予充填されたシリンジの形態であり得、適切な医療流体が自動注入器によって放出され、（例えば、他の予充填されたシリンジともに、バルクとして）共通出荷容器内において、第２の場所に輸送される。いずれの場合も、シリンジは、使い捨て（すなわち、単回注入手技のために使用される）であり得るが、いくつかの事例では、シリンジは、任意の要求される滅菌後、再使用され得る。
【００１３】
データ記憶デバイスは、例えば、ＲＦＩＤタグ、バーコード、磁気ストライプ、および／または任意の他の適切な種類のデータ記憶技術を含む、任意の適切なサイズ、形状、構成、および／または種類のものであり得る。データ記憶デバイスは、流体種類、濃度、製造日および／またはロット、充填日、充填体積、有効期限、患者識別または医療情報、注入プロトコル情報等のデータを記憶し得る。さらに、データ記憶デバイスは、データ記憶デバイスを固定具の外部表面に接着または別様に係留することを含む、任意の適切な様式で、固定具に別個に取り付けられ得る。代替として、データ記憶デバイスは、固定具の構造自体に組み込まれ得る。例えば、一実施形態では、データ記憶デバイスは、製造プロセス（例えば、射出成形プロセス）の際、固定具の構造に埋め込まれ得る。
【００１４】
固定具は、複数のシリンジのそれぞれに別個に設置可能であるとして特徴付けられ得る。固定具は、１つのシリンジ上に設置され、本シリンジから除去され、次いで、別のシリンジ上に設置され得る。固定具は、接続構造を含むとして特徴付けられてもよく、本接続構造は、固定具をシリンジ上に設置可能な構成であって、本接続構造は、固定具が、本同一接続構造を使用して、異なるシリンジ上に設置され得るように、固定具が、１つのシリンジから除去されても、無傷のままであるような構成である。
【００１５】
固定具は、繰り返し、固定具をシリンジ外筒に取り付け、そこから取り外し可能な様式で、データ記憶デバイスを収容し、シリンジ外筒に着脱可能に接続するために、任意の適切なサイズ、形状、構成、および／または種類のものであり得る。加えて、固定具は、必要に応じて、使い捨てまたは再使用可能であり得る。さらに、固定具は、シリンジ外筒の周縁の一部または全部の周りに延在し得、シリンジ外筒が、注入手技の際、高圧に曝されると、シリンジ外筒の少なくとも一部を構造的に補強および／または支持するために使用され得る。すなわち、固定具は、自動注入器が、相当の圧力をシリンジ外筒内で発生させ得る、注入手技の際、プランジャを前進させると、圧力スリーブとしての補助的立場で作用し、シリンジ外筒が破裂する潜在性を低減させ得る。
【００１６】
一実施形態では、固定具は、シリンジ外筒上にクランプ留めまたはスナップ留めされる、スリーブの形態であり得る。具体的には、スリーブは、両方とも、相互に対して自由に移動可能であり得る、第１の縁および第２の縁の相対位置によって規定される、直径を有する、開放的環状構造を形成し得る。その結果、スリーブは、シリンジ外筒上にスリーブを設置し、そこからスリーブを除去するように固定され得る。スリーブを屈曲させ、第１および第２の縁を相互から離れるように移動させることによって、スリーブをシリンジ外筒上にクランプ留めまたはスナップ留めするか、あるいはシリンジ外筒から除去可能となる。スリーブが、シリンジ上に設置されると、第１および第２の縁は、離間、当接、または重複し得、スリーブは、シリンジ外筒の全部または一部のみの周囲に延在し得る。
【００１７】
データ記憶デバイスは、データ記憶デバイスをスリーブの外部表面に接着または別様に係留することを含む、任意の適切な様式で、スリーブに別個に取り付けられ得る。代替として、データ記憶デバイスは、スリーブの構造自体に組み込まれ得る。例えば、一実施形態では、データ記憶デバイスは、製造プロセス（例えば、射出成形プロセス）の際、スリーブの構造に埋め込まれ得る。
【００１８】
別の実施形態では、固定具は、バンドの形態であり得る。本実施形態では、バンドは、シリンジ外筒の周縁全体の周りに延在し、シリンジ外筒に設置されると、重複関係に配置される、第１および第２の縁部分を含み得る。上述のスリーブ実施形態同様に、データ記憶デバイスは、データ記憶デバイスをバンドの外部表面に接着または別様に係留することを含む、任意の適切な様式で、バンドに別個に取り付けられ得る。代替として、データ記憶デバイスは、バンドの構造自体に組み込まれ得る。例えば、一実施形態では、データ記憶デバイスは、製造プロセス（例えば、射出成形プロセス）の際、バンドの構造に埋め込まれ得る。
【００１９】
固定具をシリンジ外筒に「半永久的に」取り付けるために、固定具は、少なくとも１つのロックまたはラッチを含み得る。ロックは、固定具をシリンジ外筒に着脱可能に搭載するために、任意の適切なサイズ、形状、構成、および／または種類のものであり得る。ロックが、ロックされた構成にある時、固定具は、シリンジ外筒から容易に除去されないものであり得る（例えば、適切な工具を使用せずに）。対照的に、ロックが、ロック解除された構成にある時、固定具は、シリンジ外筒から容易に除去され得る。ロックは、任意の適切な様式で係合および係脱され得るが、一実施形態では、固定具は、ロック解除ツールをロックと係合させ、ロックをロックされた構成からロック解除された構成に変更可能なために、任意の適切なサイズ、形状、構成、および／または種類のロック解除ツールと併用され得る。
【００２０】
オペレータの便宜のため、および／またはロック解除ツールの損失あるいは誤留置を回避するため、ロック解除ツールは、任意の適切な様式で（例えば、繋留、ホルスタ収納、着脱可能に締結される）、自動注入器と着脱可能に接続され得る。代替として、または加えて、ロック解除ツールは、任意の適切な様式で、自動注入器の構造に統合され得る。例えば、一実施形態では、突き出しピンが、任意の適切な様式（例えば、機械的に、電気機械的に、油圧で、空気圧で作動される）で、自動注入器に組み込まれ得る。注入プロトコルは、突き出しピンの使用を自動化し、注入手技の終了時、突き出しピンをロックと係合させ、ロックをロックされた構成からロック解除された構成に変更し得る。突き出しピンの動作は、同様に、手動でも始動され得る。
【００２１】
本発明の第２の局面は、医療流体を送達するための方法によって具現化される。本方法は、医療流体を医療容器内に装填するステップと、データ記憶デバイスを医療容器上に搭載するステップと、データをデータ記憶デバイスに記憶するステップとを含む。その後、医療流体は、データ記憶デバイスが、医療容器から除去される前に（例えば、データ記憶デバイスは、注入プロトコルの終了後、医療容器から除去され得る）、医療容器から放出され得る。データ記憶デバイスは、データ記憶デバイスを続いて再使用可能にする様式で、医療容器から除去され得る。
【００２２】
いくつかの特徴の改良および追加特徴が、本発明の第２の局面に適用可能である。これらの特徴の改良および追加特徴は、個別に、または任意の組み合わせで使用され得る。そのようなものとして、論議される以下の特徴のそれぞれは、任意の他の特徴または第２の局面の特徴の組み合わせとともに使用され得るが、そのように要求はされない。以下の議論は、本発明の第２の局面に適用可能である。
【００２３】
医療容器は、医療流体を患者内に放出するための任意の適切な医療容器であり得る。例えば、第１の局面と関連して上述のように、医療容器は、自動注入器と併用するための任意の適切なサイズ、形状、構成、および／または種類のシリンジの形態であり得、シリンジは、適切な医療流体が自動注入器によって放出され、共通出荷容器内において、他の予充填されたシリンジとともに、第２の場所へバルクとして輸送される、第１の場所で予充填される予充填されたシリンジを含む。
【００２４】
任意の適切なサイズ、形状、構成、および／または種類の充填部を使用して、医療容器を医療流体によって装填し得、医療流体は、医療容器内に装填するための任意の適切な流体あるいは複数の流体の組み合わせを含み得る。また、充填部は、ローカルネットワーク（例えば、病院および／または出荷あるいは輸送システム）とインターフェース接続するように動作可能であって、注入手技に関連する情報を取得、検証、および／またはアップロードするだけでなく、データ記憶デバイス（例えば、無線信号を介して、１つ以上のデータ記憶デバイスと通信するように動作可能なＲＦＩＤ読み書きデバイス）にデータを書き込み、および／またはそこからデータを読み取るための読み書きデバイスを含み得る。
【００２５】
データ記憶デバイスは、ＲＦＩＤタグ、バーコード、磁気ストライプ、および／または任意の他の適切な種類のデータ記憶技術を含む、任意の適切な構造であり得る。充填部の読み書きデバイスを使用して、データ記憶デバイスに、医療容器に装填される流体に関連する（例えば、流体種類、濃度、製造日および／またはロット、充填日、充填体積、有効期限等）、または患者識別あるいは医療情報、もしくは注入プロトコル情報等、他の関連情報に関連する、充填データを記憶し得る。充填データをデータ記憶デバイスに記憶するステップは、充填部によって始動される自動化プロセス、手動またはオペレータ始動プロセス、あるいはこれらの選択肢の組み合わせであり得る。
【００２６】
データ記憶デバイスを医療容器上に搭載するステップは、固定具を医療容器に取り付けるステップを含み得る。データ記憶デバイスの後続の再使用を促進するために、固定具は、データ記憶デバイスを含む、再使用可能固定具であり得る。この点において、データ記憶デバイスは、任意の適切な様式（例えば、データ記憶デバイスを固定具の外部表面に接着または別様に係留する）で、固定具に別個に取り付けられ得、あるいはデータ記憶デバイスは、固定具の構造自体に組み込まれ得る（例えば、射出成形等の製造プロセスの際、固定具の構造に埋め込まれる）。
【００２７】
一実施形態では、データ記憶デバイスを医療容器上に搭載するステップは、固定具を医療容器上に掛止するステップを含み得る。本実施形態では、固定具を医療容器から除去するステップは、固定具を医療容器から取り除く前に、固定具を医療容器から掛止解除および／または取り外すステップを含み得る。固定具を掛止および掛止解除／取り外すステップは、手動で実行されるか、任意の適切なサイズ、形状、構成、および／または種類のツールを使用して実行されるか、自動化手技の一部として実行されるか、あるいはこれらの選択肢の組み合わせを通して実行され得る。
【００２８】
別の実施形態では、データ記憶デバイスを医療容器に搭載するステップは、固定具を医療容器上にロックするステップを含み得る。本実施形態では、固定具を医療容器から除去するステップは、固定具が、医療容器から取り除かれる前に、固定具を医療容器からロック解除するステップを含み得る。ロックは、固定具を医療容器に着脱可能に搭載するために、任意の適切なサイズ、形状、構成、および／または種類のものであり得る。ロックが、ロックされた構成にある時、固定具は、適切な工具を使用せずに、医療容器から容易に除去されないものであり得る。対照的に、ロックが、ロック解除された構成にある時、固定具は、医療容器から容易に除去され得る。ロックは、任意の適切な様式で係合および係脱され得るが、一実施形態では、ロックをロック解除または係脱するステップは、ツールをロックと係合させ、ロックをロックされた構成からロック解除された構成に変更可能にするために、任意の適切なサイズ、形状、構成、および／または種類のツールを操作するステップを含み得る。固定具をロック解除するステップは、手動で実行されるか、自動化手技の一部として実行される、または両方の組み合わせを通して実行され得る。
【００２９】
流体は、任意の適切な様式で、医療容器から放出され得る。例えば、流体を医療容器から放出するステップは、医療容器を医療容器からの医療流体を患者内に放出可能な任意の適切なサイズ、形状、構成、および／または種類の自動注入器上に設置し、次いで、それを操作するステップを含み得る。
【００３０】
一実施形態では、また、自動注入器は、データ記憶デバイスからデータを読み取り、および／またはそこにデータを書き込むように動作可能な読み書きデバイスを含み得る。この点において、自動注入器の読み書きデバイスを使用して、データ記憶デバイス上に記憶された充填データを読み取り、検証し、注入手技の実行可能性を確認し得る。例えば、読み書きデバイスは、濃度、期限データ、充填日、充填体積に関連するデータを読み取り、自動注入器が行うように調製されたプログラムされた注入プロトコルと比較して、データを検証し得る。データ記憶デバイス上に記憶されたデータが、不適切である場合、自動注入器および／または読み書きデバイスと併用して実装される論理は、医療容器の使用を拒否し得る。加えて、読み書きデバイスを使用して、後続の読取および／または記憶のために、注入データ（例えば、放出体積、廃棄体積）をデータ記憶デバイスに記憶し得る。
【００３１】
注目すべきこととして、医療流体を医療容器内に装填するステップ、データ記憶デバイスを医療容器上に搭載するステップ、データをデータ記憶デバイスに記憶するステップ、流体を医療容器から放出するステップ、およびデータ記憶デバイスを医療容器から除去するステップは、必要に応じて、様々な場所で生じてもよい。例えば、医療流体は、異なる場所において、医療容器内に装填され、医療容器から放出され得る。具体的には、医療容器は、医療容器が、充填部から、医療流体が医療容器から患者内に放出され得る、第１の場所（例えば、撮像室、カテーテル検査室、病室）に輸送される前に、薬局、製薬業者、あるいは任意の他の適切な医薬品および／または医療流通センター内に位置する、充填部で装填され得る。
【００３２】
その結果、固定具の再使用可能性質によって、データ記憶デバイスは、再使用のために、第１の場所から充填部に返送され得る。充填部に返送されると、データ記憶デバイスは、上述の方法が、第２の（例えば、新しいまたは再滅菌された）医療容器および第２のデータセットを使用して、繰り返される前に、データ消去され得る。また、データをデータ記憶デバイスから消去し、第２のデータセットをデータ記憶デバイスに記憶するステップは、集合的に、第２のデータセットをデータ記憶デバイスに上書きするステップを含み得る。すなわち、データ記憶デバイスをデータ消去し、第２のデータセットをデータ記憶デバイスに記憶するステップは、２つの別個のステップを必要としない。いくつかの事例では、第２のデータセットは、単純に、データ記憶デバイスの任意の既存データ上に書き込むか、または記憶され得る。
【００３３】
加えて、上述の方法のステップが実行される順番は、任意の適切な時および任意の適切な順番で完了されるように、改変され得る。例えば、充填部は、データがデータ記憶デバイスに記憶される前、後、またはその間に、流体を医療容器内に装填し得る。したがって、医療流体を医療容器内に装填し、データをデータ記憶デバイスに記憶するステップは、連続的、または並行して、生じてもよい。別の実施例では、データは、データ記憶デバイスが、医療容器上に搭載される前または後に、データ記憶デバイスに記憶され得る。さらに別の実施例では、データ記憶デバイスに記憶されたデータは、流体が医療容器から放出されるのに先立って、またはその間に、読み取られ得る。最終実施例では、データ記憶デバイスは、データ記憶デバイスが、再使用のために、充填部に返送される前または後に、医療容器から除去され得る。
【００３４】
いくつかの特徴の改良および追加特徴が、本発明の上述の第１および第２の局面のそれぞれに、別個に適用可能である。これらの特徴の改良および追加特徴は、上述の第１および第２の局面のそれぞれに関連して、個別に、または任意の組み合わせで使用され得る。「単数」の文脈等に限定されることが意図される、本発明の任意の他の種々の局面の任意の特徴は、「唯一の」、「単一の」、「限定される」等の用語によって、本明細書で明確に説明される。一般的に受け入れられている基礎的実践に従って、単に特徴を導入することは、対応する特徴を単数に限定するものではない（例えば、自動注入器が「１つのシリンジ」を含むことを示すだけでは、自動注入器が単一のシリンジしか含まないことを意味しない）。また、「少なくとも１つの」等の語句を使用しないことも、対応する特徴を単数に限定するものではない（例えば、自動注入器が「１つのシリンジ」を含むことを示すだけでは、自動注入器が単一のシリンジしか含まないことを意味しない）。最後に、特定の特徴に関連する「少なくとも概して」等の語句の使用は、対応する特性およびそのごくわずかな変形例も包含する（例えば、シリンジ外筒が少なくとも概して円筒形であると示すことで、円筒形であるシリンジ外筒を包含する）。
【００３５】
本発明の種々の局面のいずれかによって利用され得る、任意の「論理」は、任意の適切なソフトウェア、ファームウェア、またはハードウェアで、１つ以上のプラットフォームを使用して、１つ以上のプロセッサを使用して、任意の適切な種類のメモリを使用して、任意の適切な種類の任意の単一のコンピュータ、または任意の適切な様式で相互接続された任意の適切な種類の複数のコンピュータを使用して、またはそれらの任意の組み合わせを無制限に含む、任意の適切な様式で実装され得る。本論理は、任意の単一の場所で、または任意の適切な様式で（例えば、任意の種類のネットワークを介して）、相互接続される複数の場所で実装され得る。
【００３６】
流体放出を提供するために利用され得る、任意の自動注入器は、任意の適切なサイズ、形状、構成、および／または種類のものであり得る。任意のそのような自動注入器は、任意の適切なサイズ、形状、構成、および／または種類の１つ以上のシリンジプランジャドライバを利用し得、その場合、それぞれのそのようなシリンジプランジャドライバは、少なくとも双方向運動（例えば、流体を放出するための第１の方向の運動、流体の搭載および／または引出に適応するため、および／または後続の流体放出動作のための位置に戻るための第２の方向の運動）が可能であり、それぞれのそのようなシリンジプランジャドライバは、（例えば、流体を放出するように）少なくとも１つの方向にシリンジプランジャを前進させることができるよう、任意の適切な様式で（例えば、機械的接触によって、（機械的または別様の）適切な連結によって）、その対応するシリンジプランジャと相互作用し得る。各シリンジプランジャドライバは、任意の適切なサイズ、形状、構成、および／または種類の１つ以上の駆動源を利用し得る。複数の駆動源出力が、所与の時に、単一のシリンジプランジャを前進させるように任意の適切な様式で組み合わせられ得る。１つ以上の駆動源が、単一のシリンジプランジャドライバ専用であり得、１つ以上の駆動源が、複数のシリンジプランジャドライバと関連し得（例えば、１つのシリンジプランジャから別のシリンジプランジャに出力を変更するように、ソートの伝送を組み込む）、またはそれらの組み合わせである。代表的な駆動源の形態は、ブラシ付きまたはブラシレス電気モータ、油圧モータ、空気モータ、圧電モータ、またはステッピングモータを含む。
【００３７】
任意のそのような自動注入器は、任意の適切な医療用途（例えば、コンピュータ断層撮影法またはＣＴ撮像、磁気共鳴映像法またはＭＲＩ、単光子放射型コンピュータ断層撮影法またはＳＰＥＣＴ撮像、陽電子放射型コンピュータ断層撮影法ＰＥＴ撮像、Ｘ線撮像、血管造影法、光学撮像、超音波撮像）を含む、１つ以上の医療流体の送達が所望される任意の適切な用途に使用され得る。任意のそのような自動注入器は、適切な撮像システム（例えば、ＣＴスキャナ）等の、任意の構成要素または構成要素の組み合わせと併せて使用され得る。例えば、任意のそのような自動注入器と１つ以上の他の構成要素との間で、情報を伝えることができる（例えば、スキャン遅延情報、注入開始信号、注入速度）。
【００３８】
任意の適切な数のシリンジが、任意の適切な様式で（例えば、着脱可能に、前方搭載式、後方搭載式、側面搭載式）、任意のそのような自動注入器とともに利用され得、任意の適切な医療流体が、任意のそのような自動注入器の所与のシリンジから放出され得（例えば、造影剤、放射性医薬品、生理食塩水、およびそれらの任意の組み合わせ）、任意の適切な流体が、任意の適切な様式で（例えば、連続的に、同時に）多重シリンジ自動注入器構成から放出され得、またはそれらの任意の組み合わせである。一実施形態では、自動注入器の動作によってシリンジから放出される流体は、導管（例えば、医療管類セット）内へと向けられ、本導管は、任意の適切な様式で、シリンジと流体的に相互接続され、流体を所望の場所（例えば、注入のために患者に挿入されるカテーテル）へと向ける。複数のシリンジが、（例えば、単一の注入部位に提供するために）共通導管の中へ放出し得、または１つのシリンジが、（例えば、１つの注入部位に提供するために）１つの導管の中へ放出し得る一方で、別のシリンジは、（例えば、異なる注入部位に提供するために）異なる導管の中へ放出し得る。一実施形態では、各シリンジは、シリンジ外筒と、シリンジ外筒内に配置され、かつシリンジに対して移動可能なプランジャとを含む。本プランジャは、シリンジプランジャ駆動アセンブリが、少なくとも１つの方向に、およびおそらくは２つの異なる反対方向に、プランジャを前進させることができるように、自動注入器のシリンジプランジャ駆動アセンブリと界面接触し得る。
（項目１）
シリンジ外筒と、
該シリンジ外筒に対して移動可能であり、該シリンジ外筒内に配置されるプランジャヘッドを備えるプランジャと、
該シリンジ外筒に着脱可能に接続される固定具と、
該固定具上のデータ記憶デバイスと
を備える、自動注入器シリンジアセンブリ。
（項目２）
前記シリンジ外筒と前記プランジャとを備える予充填されたシリンジをさらに備え、該予充填されたシリンジは、前記シリンジ外筒内に医療流体をさらに含む、項目１に記載の自動注入器シリンジアセンブリ。
（項目３）
前記固定具は、スリーブを備える、項目１に記載の自動注入器シリンジアセンブリ。
（項目４）
前記スリーブは、前記シリンジ外筒にクランプ留めされる、項目３に記載の自動注入器シリンジアセンブリ。
（項目５）
前記スリーブは、前記シリンジ外筒に設置されるとき、およびそこから除去されるとき、屈曲される、項目３−４のいずれかに記載の自動注入器シリンジアセンブリ。
（項目６）
前記スリーブの直径は、該スリーブの第１の縁と第２の縁との間の相対位置によって規定され、該第１の縁と該第２の縁とは、相互に対して自由に移動可能である、項目３−５のいずれかに記載の自動注入器シリンジアセンブリ。
（項目７）
前記データ記憶デバイスは、前記スリーブの構造に統合される、項目３−６のいずれかに記載の自動注入器シリンジアセンブリ。
（項目８）
前記データ記憶デバイスは、前記スリーブに別個に取り付けられる、項目３−６のいずれかに記載の自動注入器シリンジアセンブリ。
（項目９）
前記固定具は、バンドを備える、項目１に記載の自動注入器シリンジアセンブリ。
（項目１０）
前記バンドは、ロックを備える、項目９に記載の自動注入器シリンジアセンブリ。
（項目１１）
ロック解除ツールをさらに備える、項目１０に記載の自動注入器シリンジアセンブリ。
（項目１２）
前記ロック解除ツールは、前記ロックをロックされた構成からロック解除された構成に変更するように該ロックと係合可能であり、前記バンドは、該ロックが該ロック解除された構成にある前記シリンジ外筒から除去可能である、項目１１に記載の自動注入器シリンジアセンブリ。
（項目１３）
項目１１−１２のいずれかに記載の自動注入器シリンジアセンブリを備え、前記ロック解除ツールは、該自動注入器と着脱可能に接続される、自動注入器。
（項目１４）
項目１１−１２のいずれかに記載の自動注入器シリンジアセンブリを備え、前記ロック解除ツールは、該自動注入器の構造に統合されている、自動注入器。
（項目１５）
前記バンドは、第１の縁部分と第２の縁部分とを備え、該第１の縁部分と該第２の縁部分とは、該バンドが前記シリンジ外筒上に設置されている場合に、重複関係に配置されている、項目９−１４のいずれかに記載の自動注入器シリンジアセンブリ。
（項目１６）
前記固定具は、前記シリンジ外筒を構造的に補強する、項目１−１５のいずれかに記載の自動注入器シリンジアセンブリ。
（項目１７）
前記固定具は、再使用可能である、項目１−１６のいずれかに記載の自動注入器シリンジアセンブリ。
（項目１８）
前記固定具は、前記シリンジ外筒の周縁全体の周りに延在する、項目１−１７のいずれかに記載の自動注入器シリンジアセンブリ。
（項目１９）
前記固定具は、ロックを備える、項目１および１６−１８のいずれかに記載の自動注入器シリンジアセンブリ。
（項目２０）
ロック解除ツールをさらに備える、項目１９に記載の自動注入器シリンジアセンブリ。
（項目２１）
前記ロック解除ツールは、前記ロックをロックされた構成からロック解除された構成に変更するように、該ロックと係合可能であり、前記固定具は、該ロックが前記ロック解除された構成にある前記シリンジ外筒から除去可能である、項目２０に記載の自動注入器シリンジアセンブリ。
（項目２２）
項目２０−２１のいずれかに記載の自動注入器シリンジアセンブリを備え、前記ロック解除ツールは、該自動注入器と着脱可能に接続される、自動注入器。
（項目２３）
項目２０−２１のいずれかに記載の自動注入器シリンジアセンブリを備え、前記ロック解除ツールは、該自動注入器の構造に統合されている、自動注入器。
（項目２４）
前記データ記憶デバイスは、ＲＦＩＤタグを備える、項目１−２３のいずれかに記載の自動注入器シリンジアセンブリ。
（項目２５）
前記データ記憶デバイスは、順に、シリンジ状態、流体種類、濃度、製造日、ロット、充填日、充填体積、有効期限、患者識別情報、患者医療情報、または注入プロトコル情報のうちの少なくとも１つを含む記憶されたデータを含む、項目１−２４のいずれかに記載の自動注入器シリンジアセンブリ。
（項目２６）
前記データ記憶デバイスは、前記固定具に別個に取り付けられる、項目１−６および９−２５のいずれかに記載の自動注入器シリンジアセンブリ。
（項目２７）
前記データ記憶デバイスは、前記固定具の構造に組み込まれる、項目１−６および９−１７のいずれかに記載の自動注入器シリンジアセンブリ。
（項目２８）
医療流体を送達する方法であって、
医療流体を医療容器内に装填するステップと、
データ記憶デバイスを該医療容器上に搭載するステップと、
データを該データ記憶デバイスに記憶するステップと、
該装填するステップ、該搭載するステップ、および該記憶するステップのそれぞれの後に、該医療流体を該医療容器から放出するステップと、
該放出するステップ後に、該データ記憶デバイスを該医療容器から除去するステップであって、該除去するステップは、該データ記憶デバイスが該搭載するステップの後続の実行のために再使用されることを可能にする、ステップと
を含む、方法。
（項目２９）
前記装填するステップと前記放出するステップは、異なる場所で実行される、項目２８に記載の方法。
（項目３０）
前記装填するステップは、充填部で実行され、前記方法は、
前記放出するステップの実行のために、前記医療容器を該充填部から第１の場所に輸送するステップをさらに含む、項目２８−２９のいずれかに記載の方法。
（項目３１）
前記第１の場所は、撮像室、カテーテル検査室、および病室から成る群から選択される、項目３０に記載の方法。
（項目３２）
前記方法は、前記データ記憶デバイス上に記憶されたデータを読み取るステップをさらに含む、項目２８−３１のいずれかに記載の方法。
（項目３３）
前記検証するステップは、前記放出するステップに先立って、前記第１の場所で実行される、項目３２に記載の方法。
（項目３４）
前記医療容器は、シリンジである、項目２８〜３３のいずれかに記載の方法。
（項目３５）
前記医療容器は、自動注入器シリンジである、項目２８〜３４のいずれかに記載の方法。
（項目３６）
前記記憶するステップは、前記データ記憶デバイスに前記医療流体に関するデータを記憶するステップを含む、項目２８−３５のいずれかに記載の方法。
（項目３７）
前記搭載するステップは、固定具を前記医療容器に取り付けるステップを含み、該固定具は、前記データ記憶デバイスを含む、項目２８−３６のいずれかに記載の方法。
（項目３８）
前記搭載するステップは、前記固定具を前記医療容器上にロックするステップを含む、項目３７に記載の方法。
（項目３９）
前記除去するステップは、前記固定具を前記医療容器からロック解除するステップを含む、項目３７に記載の方法。
（項目４０）
前記ロック解除するステップは、ツールを操作するステップを含む、項目３９に記載の方法。
（項目４１）
前記搭載するステップは、前記固定具を前記医療容器上に掛止するステップを含む、項目３７に記載の方法。
（項目４２）
前記除去するステップは、前記固定を掛止解除し、その後、該固定具を前記医療容器から取り除くステップを含む、項目４１に記載の方法。
（項目４３）
前記除去するステップは、前記固定具を前記医療容器から取り外すステップを含む、項目３７−４２のいずれかに記載の方法。
（項目４４）
前記放出するステップは、
前記医療容器を自動注入器上に設置するステップと、
該自動注入器を操作するステップと
を含む、項目２８−４３のいずれかに記載の方法。
（項目４５）
再使用のために、前記医療容器を前記第１の場所から前記充填部に輸送するステップと、
前記データを前記データ記憶デバイスから消去するステップと、
該データ記憶デバイスを第２の医療容器に搭載するステップと、
第２の医療流体を該第２の医療容器内に装填するステップと、
第２のデータセットを該データ記憶デバイスに記憶するステップと、
該搭載するステップ、該装填するステップ、および該記憶するステップのそれぞれの後に、該第２の医療流体を該第２の医療容器から放出するステップと、
該放出するステップの後に、該データ記憶デバイスを該第２の医療容器から除去するステップであって、該除去するステップは、該搭載するステップの後続の実行のために、該データ記憶デバイスを再使用可能にするステップと、
をさらに含む、項目２８−４４のいずれかに記載の方法。
（項目４６）
前記消去するステップおよび前記記憶するステップは、集合的に、
前記第２のデータセットを前記データセットに上書きするステップを含む、項目４５に記載の方法。
（項目４７）
前記除去するステップに応答して、前記データを前記データ記憶デバイスから自動的に消去するステップをさらに含む、項目２８−４４のいずれかに記載の方法。
【図面の簡単な説明】
【００３９】
【図１】図１は、自動注入器の一実施形態の概略図である。
【図２Ａ】図２Ａは、携帯型でスタンド搭載式の二重ヘッド自動注入器の一実施形態の斜視図である。
【図２Ｂ】図２Ｂは、図２Ａの自動注入器によって使用される、パワーヘッドの拡大部分分解斜視図である。
【図２Ｃ】図２Ｃは、図２Ａの自動注入器によって使用される、シリンジプランジャ駆動アセンブリの一実施形態の概略図である。
【図３】図３は、自動注入器を医療流体によって装填するための充填部の一実施形態の概略図である。
【図４】図４は、２つの設置された自動注入器シリンジを伴う、二重ヘッド構成自動注入器の一実施形態の上面図を例証する。
【図５】図５は、自動注入器シリンジへの取り付けのための固定具の一実施形態を例証するものであって、固定具は、データ記憶デバイスを含む。
【図６Ａ】図６Ａは、自動注入器シリンジへの取り付けのためのデータ記憶デバイスを含む、固定具の別の実施形態の断面図を例証する。
【図６Ｂ】図６Ｂは、図６Ａの固定具のためのロックの詳細図を例証する。
【図７Ａ】図７Ａは、図６Ｂに詳述されるロックと係合されるロック解除ツールを伴う、図６Ａの固定具の断面図を例証する。
【図７Ｂ】図７Ｂは、図６Ｂに詳述されるロックと係合される図７Ａのロック解除ツールの詳細図を例証する。
【図８】図８は、２つの統合された突き出しピンおよび繋留されたロック解除ツールを伴う、二重ヘッド構成自動注入器の一実施形態の上面図を例証する。
【図９】図９は、データ記憶デバイスを有する固定具を使用して、医療流体を送達する方法の工程図である。
【発明を実施するための形態】
【００４０】
図１は、パワーヘッド１２を有する自動注入器１０の一実施形態の概略図を提示する。１つ以上のグラフィカルユーザインターフェースまたはＧＵＩ１１が、パワーヘッド１２と関連付けられ得る。各ＧＵＩ１１は、（１）任意の適切なサイズ、形状、構成、および／または種類のものであり得、（２）任意の適切な様式でパワーヘッド１２と動作可能に相互接続され得、（３）任意の適切な場所に配置され得、（４）自動注入器１０の動作の１つ以上の局面を制御する、自動注入器１０の動作と関連する１つ以上のパラメータを入力／編集する、および、（例えば、自動注入器１０の動作と関連する）適切な情報を表示するといった、機能のうちのいずれかを提供するように構成され得、または（５）それらの内容の任意の組み合わせであり得る。任意の適切な数のＧＵＩ１１が利用され得る。一実施形態では、自動注入器１０は、パワーヘッド１２とは別であるが、パワーヘッド１２と通信するコンソールによって組み込まれるＧＵＩ１１を含む。別の実施形態では、自動注入器１０は、パワーヘッド１２の一部であるＧＵＩ１１を含む。さらに別の実施形態では、自動注入器１０は、パワーヘッド１２と通信する別個のコンソール上で１つのＧＵＩ１１を利用し、また、パワーヘッド１２上にある別のＧＵＩ１１も利用する。各ＧＵＩ１１は、同じ機能性または一式の機能性を提供することができ、または、ＧＵＩ１１は、それぞれの機能性に関して、少なくともある点で異なり得る。
【００４１】
シリンジ２８は、本パワーヘッド１２上に設置され得、設置されると、自動注入器１０の一部と見なされ得る。いくつかの注入手技は、シリンジ２８内で生成される比較的高い圧力をもたらし得る。この点において、圧力ジャケット２６内にシリンジ２８を配置することが望ましいことがある。圧力ジャケット２６は、典型的には、パワーヘッド１２上にシリンジ２８を設置するステップの一部として、またはそのステップの後に、シリンジ２８がその中に配置されることを可能にする様式で、パワーヘッド１２と関連付けられる。圧力ジャケット２６は、典型的には、種々のシリンジ２８が、複数の注入手技のために、圧力ジャケット２６内に位置付けられ、そこから除去される際に、パワーヘッド１２と関連付けられたままとなる。自動注入器１０が低圧注入のために構成／利用される場合、および／または自動注入器１０とともに利用されるシリンジ２８が、圧力ジャケット２６によって提供される追加支持なしで、高圧注入に耐えるのに十分な耐久性である場合、自動注入器１０は、圧力ジャケット２６を排除し得る。いずれの場合でも、シリンジ２８から放出される流体は、任意の適切な様式で、シリンジ２８と流体的に相互接続され得、流体を任意の適切な場所に（例えば、患者に）向け得る、任意の適切なサイズ、形状、構成、および／または種類の導管３８の中へ向けられ得る。
【００４２】
パワーヘッド１２は、シリンジ２８から流体を放出するようにシリンジ２８（例えば、そのプランジャ３２）と相互作用する（例えば、界面接触する）シリンジプランジャ駆動アセンブリまたはシリンジプランジャドライバ１４を含む。本シリンジプランジャ駆動アセンブリ１４は、駆動出力１８（例えば、回転可能な駆動ネジ）にパワー供給する駆動源１６（例えば、任意の適切なサイズ、形状、構成、および／または種類のモータ、オプションの歯車装置等）を含む。ラム２０は、駆動出力１８によって、適切な経路（例えば、軸方向）に沿って前進させられ得る。ラム２０は、以下で論議される様式で、シリンジ２８の対応する部分と相互作用または界面接触するための連結器２２を含み得る。
【００４３】
シリンジ２８は、（例えば、双頭矢印Ｂと一致する軸に沿った軸方向の往復運動のために）シリンジ外筒３０内で移動可能に配置されるプランジャまたはピストン３２を含む。プランジャ３２は、連結器３４を含み得る。本シリンジプランジャ連結器３４は、シリンジプランジャ駆動アセンブリ１４がシリンジ外筒３０内でシリンジプランジャ３２を後退させることを可能にするように、ラム連結器２２と相互作用または界面接触し得る。シリンジプランジャ連結器３４は、ヘッドまたはボタン３６ｂとともにシリンジプランジャ３２の本体から延在するシャフト３６ａの形態であり得る。しかしながら、シリンジプランジャ連結器３４は、任意の適切なサイズ、形状、構成、および／または種類のものであり得る。
【００４４】
概して、自動注入器１０のシリンジプランジャ駆動アセンブリ１４は、（例えば、対応するシリンジ２８から流体を放出するように）少なくとも１つの方向に（シリンジ外筒３０に対して）シリンジプランジャ３２を移動または前進させることできるよう、任意の適切な様式で（例えば、機械的接触によって、（機械的または別様の）適切な連結によって）シリンジ２８のシリンジプランジャ３２と相互作用し得る。すなわち、シリンジプランジャ駆動アセンブリ１４は、（例えば、同じ駆動源１６の動作を介して）双方向運動が可能であり得るが、自動注入器１０は、シリンジプランジャ駆動アセンブリ１４の動作が、実際には、自動注入器１０によって使用されている各シリンジプランジャ３２を１つの方向にしか移動させないように、構成され得る。しかしながら、シリンジプランジャ駆動アセンブリ１４は、２つの異なる方向のそれぞれに（例えば、共通軸方向経路に沿った異なる方向に）、それぞれのそのようなシリンジプランジャ３２を移動させることができるよう、自動注入器１０によって使用されている各シリンジプランジャ３２と相互作用するように構成され得る。
【００４５】
シリンジプランジャ３２の後退は、後続の注入または放出のために、シリンジ外筒３０の中への流体の充填に適応するために利用され得、後続の注入または放出のために、または任意の他の適切な目的で、シリンジ外筒３０の中へ流体を実際に引き込むために利用され得る。ある構成は、シリンジプランジャ駆動アセンブリ１４がシリンジプランジャ３２を後退させることができることを要求しなくてもよく、その場合、ラム連結器２２およびシリンジプランジャ連結器３４は必要ではないことがある。この場合、シリンジプランジャ駆動アセンブリ１４は、（例えば、別の予充填されたシリンジ２８が設置された後に）別の流体送達動作を実行する目的で後退させられ得る。ラム連結器２２およびシリンジプランジャ連結器３４が利用される時でさえも、ラム２０がシリンジプランジャ３２を前進させて、シリンジ２８から流体を放出する（例えば、ラム２０が、単純にシリンジプランジャ連結器３４、またはシリンジプランジャ３２の近位端を直接「押し進め」てもよい）時には、これらの構成要素は連結されてもされなくてもよい。ラム連結器２２およびシリンジプランジャ連結器３４を連結状態または条件で配置するために、ラム連結器２２およびシリンジプランジャ連結器３４を非連結状態または条件で配置するために、または両方のために、任意の適切な寸法または寸法の組み合わせで、任意の単一の運動または運動の組み合わせが利用され得る。
【００４６】
シリンジ２８は、任意の適切な様式で、パワーヘッド１２上に設置され得る。例えば、シリンジ２８は、パワーヘッド１２上に直接設置されるように構成することができる。図示された実施形態では、シリンジ２８とパワーヘッド１２との間に界面を提供するように、筐体２４がパワーヘッド１２上に適切に搭載される。本筐体２４は、シリンジ２８の１つ以上の構成が設置され得るアダプタの形態であり得、シリンジ２８の少なくとも１つの構成は、任意のそのようなアダプタを使用することなく、パワーヘッド１２上に直接設置することができる。また、筐体２４は、シリンジ２８の１つ以上の構成が設置され得る、面板の形態であり得る。この場合、面板は、パワーヘッド１２上にシリンジ２８を設置するために必要であり、面板なしでシリンジ２８をパワーヘッド１２上に設置することはできないようなものであり得る。圧力ジャケット２６が使用されている時は、シリンジ２８に関連して本明細書で論議される種々の様式で、それがパワーヘッド１２上に設置され得、次いで、シリンジ２８は、その後、圧力ジャケット２６の中に設置される。
【００４７】
シリンジ２８を設置する時に、筐体２４は、パワーヘッド１２上に搭載されており、パワーヘッド１２に対して固定位置に留まり得る。別の選択肢は、シリンジ２８の設置に適応するように、筐体２４およびパワーヘッド１２を移動可能に相互接続することである。例えば、筐体２４は、双頭矢印Ａを含む平面内で移動して、ラム連結器２２とシリンジプランジャ連結器３４との間で、連結状態または条件と非連結状態または条件とのうちの１つ以上を提供し得る。
【００４８】
１つの特定の自動注入器構成が、図２Ａに図示され、参照数字４０によって識別され、少なくとも概して図１の自動注入器１０に従う。自動注入器４０は、携帯型スタンド４８上に搭載されるパワーヘッド５０を含む。自動注入器４０用の一対のシリンジ８６ａ、８６ｂが、パワーヘッド５０上に搭載される。流体が、自動注入器４０の動作中にシリンジ８６ａ、８６ｂから放出され得る。
【００４９】
携帯型スタンド４８は、任意の適切なサイズ、形状、構成、および／または種類のものであり得る。スタンド４８を携帯型にするために、車輪、ローラ、キャスタ等が利用され得る。パワーヘッド５０は、携帯型スタンド４８に対して固定位置で維持することができる。しかしながら、少なくとも何らかの様式で、パワーヘッド５０の位置が携帯型スタンド４８に対して調整可能となることを可能にすることが望ましいことがある。例えば、シリンジ８６ａ、８６ｂのうちの１つ以上の中へ流体を装填する時に、携帯型スタンド４８に対して１つの位置でパワーヘッド５０を有すること、および注入手技の実施のために携帯型スタンド４８に対して異なる位置でパワーヘッド５０を有することが望ましいことがある。この点において、パワーヘッド５０は、任意の適切な様式で（例えば、パワーヘッド５０が少なくともある可動域を通して旋回させられ、その後、所望の位置で維持され得るように）携帯型スタンド４８と移動可能に相互接続され得る。
【００５０】
パワーヘッド５０は、流体を提供するために任意の適切な様式で支持することができると理解されたい。例えば、携帯型構造上に搭載される代わりに、パワーヘッド５０は、支持アセンブリと相互接続することができ、支持アセンブリは、順に、適切な構造（例えば、天井、壁、床）に搭載される。パワーヘッド５０用の任意の支持アセンブリが、（例えば、１つ以上の他の支持セクションに対して位置付け直され得る、１つ以上の支持セクションを有することによって）少なくとも何らかの点で位置調整可能であり得、または、固定位置で維持され得る。また、パワーヘッド５０は、固定位置で維持されるよう、または支持アセンブリに対して調整可能となるよう、任意のそのような支持アセンブリと統合され得る。
【００５１】
パワーヘッド５０は、グラフィカルユーザインターフェースまたはＧＵＩ５２を含む。本ＧＵＩ５２は、自動注入器４０の動作の１つ以上の局面を制御する機能、自動注入器４０の動作と関連する１つ以上のパラメータを入力／編集する機能、および（例えば、自動注入器４０の動作と関連する）適切な情報を表示する機能のうちの１つ、または任意の組み合わせを提供するように構成され得る。また、自動注入器４０は、それぞれ任意の適切な様式で（例えば、１つ以上のケーブルを介して）、パワーヘッド５０と通信し得る検査室の中または任意の他の適切な場所でテーブル上に配置され、または電子機器ラック上に搭載され、あるいは両方であり得るコンソール４２および電力パック４６を含み得る。電力パック４６は、注入器４０用の電力供給部、コンソール４２とパワーヘッド５０との間の通信を提供するためのインターフェース回路、遠隔コンソール、遠隔手動または足踏み制御スイッチ、または他の相手先ブランド製造業者（ＯＥＭ）の遠隔制御接続（例えば、自動注入器４０の動作が撮像システムのＸ線被曝と同期化されることを可能にする）等の遠隔ユニットへの自動注入器４０の接続を可能にするための回路、および任意の他の適切な構成要素のうちの１つ以上を、任意の適切な組み合わせで含み得る。コンソール４２は、タッチスクリーンディスプレイ４４を含み得、それは順に、操作者が自動注入器４０の動作の１つ以上の局面を遠隔制御することを可能にすること、操作者が自動注入器４０の動作と関連する１つ以上のパラメータを入力／編集することを可能にすること、操作者が自動注入器４０の自動化動作のためのプログラムを特定し、記憶することを可能にすること（後に、操作者による開始時に自動注入器４０によって自動的に実行することができる）、および、その動作の任意の局面を含む自動注入器４０の動作とする任意の適切な情報を表示することのうちの１つ以上、および任意の適切な組み合わせで提供し得る。
【００５２】
パワーヘッド５０とのシリンジ８６ａ、８６ｂの統合に関する種々の詳細を図２Ｂに提示する。シリンジ８６ａ、８６ｂのそれぞれは、同じ一般的構成要素を含む。シリンジ８６ａは、シリンジ外筒８８ａ内で可動性に配置されるプランジャまたはピストン９０ａを含む。パワーヘッド５０の動作を介した、軸１００ａ（図２Ａ）に沿ったプランジャ９０ａの運動は、シリンジ８６ａのノズル８９ａを通して、シリンジ外筒８８ａ内から流体を放出する。適切な導管（図示せず）が、典型的には、流体を所望の場所（例えば、患者）に向けるために、任意の適切な様式でノズル８９ａと流体的に相互接続される。同様に、シリンジ８６ｂは、シリンジ外筒８８ｂ内で移動可能に配置されるプランジャまたはピストン９０ｂを含む。パワーヘッド５０の動作を介した、軸１００ｂ（図２Ａ）に沿ったプランジャ９０ｂの運動は、シリンジ８６ｂのノズル８９ｂを通してシリンジ外筒８８ｂ内から流体を放出する。適切な導管（図示せず）が、典型的には、流体を所望の場所（例えば、患者）に向けるために、任意の適切な様式でノズル８９ｂと流体的に相互接続される。
【００５３】
シリンジ８６ａは、中間面板１０２ａを介してパワーヘッド５０と相互接続される。本面板１０２ａは、シリンジ外筒８８ａの少なくとも一部を支持し、任意の追加機能性または機能性の組み合わせを提供／適応し得る架台１０４を含む。台８２ａが、面板１０２ａと界面接触するために、パワーヘッド５０上に配置され、パワーヘッド５０に対して固定される。シリンジ８６ａに対するシリンジプランジャ駆動アセンブリまたはシリンジプランジャドライバ５６（図２Ｃ）の各部分である、ラム７４（図２Ｃ）のラム連結器７６は、パワーヘッド５０上に搭載されると、面板１０２ａに近接して位置付けられる。シリンジプランジャ駆動アセンブリ５６に関する詳細を、図２Ｃに関して以下でより詳細に論議する。概して、ラム連結器７６は、シリンジ８６ａのシリンジプランジャ９０ａと連結され得、次いで、ラム連結器７６およびラム７４（図２Ｃ）は、軸１００ａ（図２Ａ）に沿ってシリンジプランジャ９０ａを移動させるように、パワーヘッド５０に対して移動させられ得る。それは、シリンジプランジャ９０ａを移動させ、シリンジ８６ａのノズル８９ａを通して流体を放出する時に、ラム連結器７６がシリンジプランジャ９０ａと係合されるが、実際には連結されないようなものであり得る。
【００５４】
面板１０２ａは、パワーヘッド５０上の台８２ａに面板１０２ａを搭載し、および、パワーヘッド５０上の台８２ａから面板１０２ａを除去するように、（それぞれ、シリンジプランジャ９０ａ、９０ｂの運動と関連し、図２Ａに図示される）少なくとも概して、軸１００ａ、１００ｂに対して直角である平面内で移動させられ得る。面板１０２ａは、シリンジプランジャ９０ａを、パワーヘッド５０上の対応するラム連結器７６と連結するために使用され得る。この点において、面板１０２ａは、一対のハンドル１０６ａを含む。概して、シリンジ８６ａが最初に面板１０２ａ内に位置付けられると、ハンドル１０６ａは、順に、（それぞれ、シリンジプランジャ９０ａ、９０ｂの運動と関連し、図２Ａに図示される）少なくとも概して、軸１００ａ、１００ｂに対して直角である平面内でシリンジ８６ａを移動／平行移動させるように、移動させられ得る。ハンドル１０６ａを１つの位置に移動させることにより、少なくとも概して下向きの方向に（面板１０２ａに対して）シリンジ８６ａを移動／平行移動させて、シリンジプランジャ９０ａを、その対応するラム連結器７６と連結する。ハンドル１０６ａを別の位置に移動させることにより、少なくとも概して上向きの方向に（面板１０２ａに対して）シリンジ８６ａを移動／平行移動させて、シリンジプランジャ９０ａを、その対応するラム連結器７６から分断する。
【００５５】
シリンジ８６ｂは、中間面板１０２ｂを介して、パワーヘッド５０と相互接続される。台８２ｂが、面板１０２ｂと界面接触するために、パワーヘッド５０上に配置され、パワーヘッド５０に対して固定される。シリンジ８６ｂに対するシリンジプランジャ駆動アセンブリ５６の各部分である、ラム７４（図２Ｃ）のラム連結器７６は、パワーヘッド５０に搭載されると、面板１０２ｂに近接して位置付けられる。シリンジプランジャ駆動アセンブリ５６に関する詳細を、再度、図２Ｃに関して以下でより詳細に論議する。概して、ラム連結器７６は、シリンジ８６ｂのシリンジプランジャ９０ｂと連結され得、ラム連結器７６およびラム７４（図２Ｃ）は、軸１００ｂ（図２Ａ）に沿ってシリンジプランジャ９０ｂを移動させるように、パワーヘッド５０に対して移動させられ得る。それは、シリンジプランジャ９０ｂを移動させ、シリンジ８６ｂのノズル８９ｂを通して流体を放出する時に、ラム連結器７６がシリンジプランジャ９０ｂと係合されるが、実際には連結されないようなものであり得る。
【００５６】
面板１０２ｂは、パワーヘッド５０上の台８２ｂに面板１０２ｂを搭載し、および、パワーヘッド５０上の台８２ｂから面板１０２ｂを除去するように、（それぞれ、シリンジプランジャ９０ａ、９０ｂの運動と関連し、図２Ａに図示される）少なくとも概して、軸１００ａ、１００ｂに対して直角である平面内で動かされ得る。面板１０２ｂはまた、シリンジプランジャ９０ｂを、パワーヘッド５０上の対応するラム連結器７６と連結するために使用され得る。この点において、面板１０２ｂは、ハンドル１０６ｂを含み得る。概して、シリンジ８６ｂが最初に面板１０２ｂ内に位置付けられると、シリンジ８６ｂは、その長軸１００ｂ（図２Ａ）に沿って、面板１０２ｂに対して回転させられ得る。本回転は、ハンドル１０６ｂを動かすことによって、シリンジ８６ｂを把持して回転させることによって、または両方によって実現され得る。いずれの場合でも、本回転は、（それぞれ、シリンジプランジャ９０ａ、９０ｂの運動と関連し、図２Ａに図示される）少なくとも概して、軸１００ａ、１００ｂに対して直角である平面内で、シリンジ８６ｂおよび面板１０２ｂの両方を移動／平行移動させる。シリンジ８６ｂを１つの方向に回転させることにより、少なくとも概して下向きの方向にシリンジ８６ｂおよび面板１０２ｂを移動／平行移動させて、シリンジプランジャ９０ｂを、その対応するラム連結器７６と連結する。シリンジ８６ｂを反対方向に回転させることにより、少なくとも概して上向きの方向にシリンジ８６ｂおよび面板１０２ｂを移動／平行移動させて、シリンジプランジャ９０ｂを、その対応するラム連結器７６から分断する。
【００５７】
図２Ｂに図示されるように、シリンジプランジャ９０ｂは、プランジャ本体９２と、シリンジプランジャ連結器９４とを含む。本シリンジプランジャ連結器９４は、プランジャ本体９２から離間したヘッド９６とともに、プランジャ本体９２から延在するシャフト９８を含む。ラム連結器７６のそれぞれは、ラム連結器７６の面の上のより小型のスロットの後に位置付けられる、より大型のスロットを含む。シリンジプランジャ連結器９４のヘッド９６は、ラム連結器７６のより大型のスロット内に位置付けられ、シリンジプランジャ連結器９４のシャフト９８は、シリンジプランジャ９０ｂおよびその対応するラム連結器７６が連結状態または条件である時に、ラム連結器７６の面の上のより小型のスロットを通って延在し得る。シリンジプランジャ９０ａは、その対応するラム連結器７６と界面接触するために、同様のシリンジプランジャ連結器９４を含み得る。
【００５８】
パワーヘッド５０は、自動注入器４０の場合では、シリンジ８６ａ、８６ｂから流体を放出するために利用される。すなわち、パワーヘッド５０は、シリンジ８６ａ、８６ｂのそれぞれから流体を放出する原動力を提供する。シリンジプランジャ駆動アセンブリまたはシリンジプランジャドライバとして特徴付けられ得るものの一実施形態が、図２Ｃに図示され、参照数字５６によって識別され、シリンジ８６ａ、８６ｂのそれぞれから流体を放出するために、パワーヘッド５０によって利用され得る。別個のシリンジプランジャ駆動アセンブリ５６が、シリンジ８６ａ、８６ｂのそれぞれに対するパワーヘッド５０に組み込まれ得る。この点において、図２Ａ−Ｂを再度参照すると、パワーヘッド５０は、シリンジプランジャ駆動アセンブリ５６のそれぞれを別個に制御する際に使用するための手動ノブ８０ａおよび８０ｂを含み得る。
【００５９】
最初に、図２Ｃのシリンジプランジャ駆動アセンブリ５６に関して、その個々の構成要素のそれぞれは、任意の適切なサイズ、形状、構成、および／または種類のものであり得る。シリンジプランジャ駆動アセンブリ５６は、出力シャフト６０を有するモータ５８を含む。駆動歯車６２が、モータ５８の出力シャフト６０上に搭載され、それとともに回転する。駆動歯車６２は、被駆動歯車６４と係合されるか、または少なくとも係合可能である。本被駆動歯車６４は、駆動ネジまたはシャフト６６上に搭載され、それとともに回転する。それの周りに駆動ネジ６６が回転する軸は、参照数字６８によって識別される。１つ以上の軸受７２が、駆動ネジ６６を適切に支持する。
【００６０】
台車またはラム７４が、駆動ネジ６６上に移動可能に搭載される。概して、１つの方向への駆動ネジ６６の回転が、対応するシリンジ８６ａ／ｂの方向へ駆動ネジ６６に沿って（それにより、軸６８に沿って）ラム７４を軸方向に前進させる一方で、反対方向への駆動ネジ６６の回転は、対応するシリンジ８６ａ／ｂから離れて駆動ネジ６６に沿って（それにより、軸６８に沿って）ラム７４を軸方向に前進させる。この点において、駆動ネジ６６の少なくとも一部の周囲は、ラム７４の少なくとも一部と界面接触する螺旋ネジ山７０を含む。また、ラム７４は、駆動ネジ６６の回転中にラム７４が回転することを可能にしない、適切なブッシング７８内で移動可能に搭載される。したがって、駆動ネジ６６の回転は、駆動ネジ６６の回転方向によって決定される方向で、ラム７４の軸方向移動を提供する。
【００６１】
ラム７４は、対応するシリンジ８６ａ／ｂのシリンジプランジャ９０ａ／ｂのシリンジプランジャ連結器９４と着脱可能に連結され得る連結器７６を含む。ラム連結器７６およびシリンジプランジャ連結器９４が適切に連結されると、シリンジプランジャ９０ａ／ｂは、ラム７４とともに移動する。図２Ｃは、シリンジ８６ａ／ｂが、ラム７４に連結されることなく、その対応する軸１００ａ／ｂとともに移動させられ得る構成を図示する。そのシリンジプランジャ９０ａ／ｂのヘッド９６がラム連結器７６と整列させられるが、軸６８が依然として図２のオフセット構成にある状態で、それに沿ってラム７４が移動する軸６８に対して直角である平面内で、シリンジ８６ａ／ｂが平行移動させられ得るように、シリンジ８６ａ／ｂは、その対応する軸１００ａ／ｂとともに移動させられる。このことは、上述の様式で、ラム連結器７６とシリンジプランジャ連結器９６との間で連結係合を確立する。
【００６２】
図１および２Ａ−Ｃの自動注入器１０、４０はそれぞれ、流体が対象（例えば、患者）に注入される医療撮像用途を含む、任意の適切な用途に使用され得る。自動注入器１０、４０の代表的な医療撮像用途は、コンピュータ断層撮影法またはＣＴ撮像、磁気共鳴映像法またはＭＲＩ、単光子放射型コンピュータ断層撮影法またはＳＰＥＣＴ撮像、陽電子放射型コンピュータ断層撮影法ＰＥＴ撮像、Ｘ線撮像、血管造影法、光学撮像、超音波撮像を含む。自動注入器１０、４０はそれぞれ、単独で、または１つ以上の他の構成要素と組み合わせて使用することができる。自動注入器１０、４０はそれぞれ、例えば、情報が自動注入器１０、４０と１つ以上の他の構成要素との間で伝えられ得るように（例えば、スキャン遅延情報、注入開始信号、注入速度）、１つ以上の構成要素と動作可能に相互接続され得る。
【００６３】
単一ヘッド構成（単一のシリンジ用）および二重ヘッド構成（２つのシリンジ用）を含む、任意の数のシリンジが、自動注入器１０、４０のそれぞれによって利用され得る。多重シリンジ構成の場合、各自動注入器１０、４０は、任意の好適な様式で、任意のタイミングシーケンスに従って、種々のシリンジから流体を放出し得る（例えば、２つ以上のシリンジからの連続放出、２つ以上のシリンジからの同時放出、またはそれらの任意の組み合わせ）。複数のシリンジが、（例えば、単一の注入部位に提供するために）共通導管の中へ放出し得、または１つのシリンジが、（例えば、１つの注入部位に提供するために）１つの導管の中へ放出し得る一方で、別のシリンジは、（例えば、異なる注入部位に提供するために）異なる導管の中へ放出し得る。自動注入器１０、４０のそれぞれによって利用される、それぞれのそのようなシリンジは、任意の適切な流体（例えば、医療流体）、例えば、造影剤、放射性医薬品、生理食塩水、およびそれらの任意の組み合わせを含み得る。自動注入器１０、４０のそれぞれによって利用される、それぞれのそのようなシリンジは、任意の適切な様式で設置され得る（例えば、後方装填構成が利用され得る、前方装填構成が利用され得る、側面装填構成が利用され得る）。
【００６４】
図３は、自動注入デバイス（例えば、自動注入器）と併用するために、医療容器（例えば、自動注入器シリンジ）を充填する際に使用するための充填部１１０の概略図である。充填部１１０は、薬局、製薬業者、あるいは任意の他の適切な医薬品および／または医療流通センターに位置し得る。以下、充填部１１０は、自動注入器１０８（例えば、図４）と併用するために、自動注入器シリンジ１０７と併せて説明される。シリンジ１０７は、例えば、上述のシリンジ２８（図１）、８６（図２Ａ−Ｂ）を含む、任意の適切なサイズ、形状、構成、および／または種類の医療容器を含み得る。自動注入器１０８は、例えば、上述の自動注入器１０（図１）、４０（図２Ａ−Ｃ）を含む、適切なサイズ、形状、種類、または構成の任意の自動注入器であり得る。加えて、自動注入器１０８は、例えば、上述のパワーヘッド１２（図１）、５０（図２Ａ−Ｂ）を含む、任意の適切なサイズ、形状、構成、および／または種類のパワーヘッド１０９を含み得る。
【００６５】
概して、充填部１１０は、シリンジ１０７内に装填するために、適切な医療流体（例えば、造影剤、生理食塩水、流体医薬品）を含む、バルク容器／リザーバ１１２を含む。充填部１１０は、充填部１１０が、バルク容器１１２から適切な体積の流体によってシリンジ１０７を充填するために使用され得るように、シリンジ１０７に固着して位置付けるように構成され得る。シリンジ１０７を充填するために使用され得る充填部の例示的実施形態は、国際出願第ＰＣＴ／ＵＳ２００４／０１７８０２号に記載されている。
【００６６】
加えて、充填部１１０は、読み書きデバイス１１４を含み得る。読み書きデバイス１１４は、無線信号を介して、自動注入器１０８を使用して、患者内に流体を注入するステップと関連付けられ得る、１つ以上のデータ記憶デバイス（例えば、ＲＦＩＤタグ、バーコード、磁気ストライプ、および／または任意の他の適切な種類のデータ記憶技術）と通信するように動作可能な無線自動識別「ＲＦＩＤ」デバイスであり得る。故に、読み書きデバイス１１４は、１つ以上のデータ記憶デバイスからデータを読み取る、および／またはそこにデータを書き込むように動作可能であり得る。読み書きデバイス１１４と関連付けられた制御電子機器および／または論理は、任意の適切な場所に配置され得る。
【００６７】
再使用可能／書換可能データ記憶デバイス１１８、１２０は、それぞれ、バルク容器１１２およびシリンジ１０７に添着され得る。この点において、図３は、図５に関連して論じられる、スリーブ１２４の形態として取り付けられる固定具を伴う、シリンジ１０７を示す。初期概要として、スリーブ１２４は、データ記憶デバイス１２０を組み込み、スリーブ１２４が、例えば、上述のシリンジ１０７（図３）、２８（図１）、８６（図２Ａ−Ｂ）を含む、複数のシリンジに繰り返し取り付けられ、そこから除去され得るように、シリンジ１０７に着脱可能に搭載される。
【００６８】
シリンジ１０７充填時またはその前後に、読み書きデバイス１１４は、バルク容器１１２内の流体に関するデータを読み取り、順に、関連充填データ（例えば、流体種類、濃度、製造日および／またはロット、充填日、充填体積、有効期限、患者識別または医療情報、注入プロトコル情報）をデータ記憶デバイス１２０に記憶し得る。また、データ記憶デバイス１２０は、シリンジ状態（例えば、シリンジ１０７が使用されていないままである、または流体がシリンジ１０７からさらに放出されていない）を指定し得る。充填データをデータ記憶デバイス１２０に書き込むステップは、各充填手技の際、充填部１１０によって始動される自動化プロセス、手動またはオペレータ始動プロセス、あるいはこれらの選択肢の組み合わせであり得ることを理解されたい。
【００６９】
充填されると、シリンジ１０７は、第１の場所または最終用途場所（例えば、撮像室、カテーテル検査室、病室）に輸送され、シリンジ１０７は、図４に示されるように、自動注入器１０８上に設置され得る。自動注入器１０８は、追加の読み書きデバイス１２２を含み得る。読み書きデバイス１２２は、シリンジ１０７上のデータ記憶デバイス１２０から充填データを読み出し、それによって、自動注入器１０８が行うように調製されるプログラムされた注入プロトコルに対して、充填データを検証可能にするように動作可能であり得る。また、読み書きデバイス１２２は、充填部１１０における後の読取および／または記録のために、現在の注入手技に関する注入データ（例えば、使用体積、廃棄体積、注入濃度、患者情報、流体がシリンジ１０７から放出されたことの表示）をデータ記憶デバイス１２０に記憶するように動作可能であり得る。
【００７０】
自動注入器シリンジは、概して、単回注入手技後に廃棄されるため、かつデータ記憶デバイスは、書換および／または修正され得るため、データ記憶デバイス１２０は、上述のように、シリンジ１０７に着脱可能に接続する固定具内に組み込まれるか、またはそこに別個に取り付けられ得る。固定具は、シリンジ１０７が医療流体によって装填される時またはその前後に、充填部１１０において、シリンジ１０７に取り付けられ得、固定具は、自動注入器１０８が、最終用途場所において、シリンジ１０７を放出した後、しばらくしてから、シリンジ１０７から除去され得る。このように、データ記憶デバイス１２０を固定具に組み込むことによって、反復注入手技のために、固定具、したがって、データ記憶デバイス１２０を再使用可能にし、かつ異なるシリンジと再び併用可能にする。
【００７１】
図５は、シリンジ１０７への取り付けのための固定具の一実施形態を例証する。本実施形態では、固定具は、スリーブ１２４の形態である。データ記憶デバイス１２０は、スリーブ１２４に別個に取り付けられ得、あるいはスリーブ１２４の構造に直接統合または組み込まれ得る。図５に示されるように、スリーブ１２４は、第１の縁１２６および第２の縁１２８を有する、半円筒形構造の形態であり得る。スリーブ１２４は、第１および第２の縁１２６、１２８が、相互に対して自由に移動し得る（例えば、スリーブ１２４の屈曲によって）ように構成され、それによって、オペレータは、第１および第２の縁１２６、１２８を分離し、スリーブ１２４をシリンジ１０７の外筒１１１上にクランプ留めまたはスナップ留めし、そこから外すことが可能となる。スリーブ１２４が、図４に示されるように、シリンジ１０７に取り付けられると、第１および第２の縁１２６、１２８は、離間するか、当接するか、または重複し得る。言い換えると、スリーブ１２４は、シリンジ外筒１１１の全部または一部のみの周囲に延在し得る。シリンジ１０７の外筒１１１上に搭載されると、スリーブ１２４は、例えば、スリーブ１２４の弾性に基づいて、外筒１１１に圧縮力を付与し得る。
【００７２】
図６Ａ−Ｂから７Ａ−Ｂは、データ記憶デバイス１２０をシリンジ１０７に着脱可能に搭載するための固定具の別の実施形態を例証する。本実施形態では、固定具は、シリンジ外筒１１１の周縁全体の周りに延在する円形バンド１３０の形態である。バンド１３０は、第１の縁部分１４２と、第２の縁部分１４４とを含む。第１および第２の縁部分１４２、１４４は、バンド１３０が、シリンジ外筒１１１の周りに位置付けられると、重複関係に配置される。したがって、バンド１３０は、シリンジ外筒１１１の円周全体の周りに延在する。
【００７３】
また、第１および第２の縁部分１４２、１４４は、バンド１３０をシリンジ外筒１１１に着脱可能に搭載するロックを形成する。具体的には、ロックされた構成にある時、タブ１３６は、図６Ａ−Ｂに示されるように、第２の縁部分１４４から延在し、第１の縁部分１４２内の切り欠き１４０の一部を形成する、側壁１３８に対して楔着する。タブ１３６は、ロック位置に対して付勢され得る（例えば、少なくとも若干、弾性的に変形可能またはたわむことが可能であることによって）。
【００７４】
バンド１３０は、シリンジ１１１から除去され得、その後、別のシリンジ上に搭載され得る。この点において、ツール１３４は、図７Ａ−Ｂに示されるように、タブ１３６を切り欠き１４０の外へたわませ、第１および第２の縁部分１４２、１４４を解放するように、切り欠き１４０内に挿入され得る。第１および第２の縁部分１４２、１４４が解放されると、バンド１３０をシリンジ外筒１１１に取り付け、またはそこから除去可能なように（例えば、バンド１３０を屈曲することによって）、十分な距離をもって分離され得る。タブ１３６は、上述のように、ロックされた位置に付勢されているので、タブ１３６は、バンド１３０がロック解除され、ツール１３４からの任意の拘束力が除去された後、自動的に、ロックされた位置に復元し得る。
【００７５】
ツール１３４は、側壁１３８の高さに少なくとも等しい高さである高さ（ｈ）を有する楔状デバイスであり、楔状デバイスは、切り欠き１４０内を摺動し、タブ１３６を切り欠き１４０から変位させるように構成され、それによって、第１および第２の端部部分１４２を解放する。しかしながら、ツール１３４は、任意の適切なサイズ、形状、構成、および／または種類のものであり得る。概して、ある種類のツールを使用せずに、バンド１３０をシリンジ１０７から除去可能にすることを回避することが望ましいであろう。
【００７６】
オペレータの便宜のためだけではなく、ツール１３４の誤配置を回避するために、ツール１３４は、ツール１３４を自動注入器１０８から除去し、任意の適切な様式で、再び格納可能にする、自動注入器１０８の任意の適切な部分に着脱可能に搭載され得る。この点において、図８は、パワーヘッド１０９'を有する自動注入器１０８'の変形例に繋留されたツール１３４を例証する。代替として、ツール１３４は、自動注入器１０８'に直接統合され得る。例えば、図８に示される一実施形態では、また、自動注入器１０８'は、適切な数の突き出しピン１４６を含み得る。各突き出しピン１４６は、注入手技の終了後に作動されると、ピン１４６が、バンド１３０の切り欠き１４０内へと前方に駆動し、それによって、タブ１３６を変位させ、第１および第２の縁部分１４２、１４４を解放し、バンド１３０をシリンジ外筒１１１から除去可能にするように、適切に構成され得る。突き出しピン１４６は、任意の適切なサイズ、形状、構成、および／または種類のものであり得、当技術分野において周知の任意の適切な様式で作動され得る（例えば、機械的、電気機械的、油圧式、空気圧式等）。自動注入器１０８'は、上述の工具の選択肢の一方または両方を含み得ることを理解されたい。すなわち、自動注入器１０８'は、着脱可能に搭載されたツール、統合されたツール、または両方を含み得る。
【００７７】
一般に、図１に関連して論じられるように、いくつかの注入手技は、シリンジ内で発生する比較的高圧をもたらし得る。この点において、シリンジは、時として、圧力下、シリンジが破裂するのを防止する、圧力ジャケット内に配置される。圧力ジャケットは、典型的には、シリンジをパワーヘッド上に設置するプロセスの一部として、またはその後、シリンジをその中に配置可能にする様式で、自動注入器のパワーヘッドと関連付けられる。この点において、スリーブ１２４（図５）およびバンド１３０（図６Ａ−Ｂならびに７Ａ−Ｂ）は、圧力スリーブとしての補助的立場で機能し得る。すなわち、シリンジ１０７に取り付けられると、スリーブ１２４（図５）およびバンド１３０（図６Ａ−Ｂならびに７Ａ−Ｂ）はそれぞれ、シリンジ１０７の周りに、構造的部材を形成し得る。したがって、スリーブ１２４（図５）およびバンド１３０（図６Ａ−Ｂならびに７Ａ−Ｂ）は、必要に応じて、パワーヘッド１０９とシリンジ１０７との間で界面接触するだけではなく、注入手技の際、高圧に曝されると、シリンジ１０７を構造的に支持するために使用され得る。
【００７８】
図９は、固定具１２３を使用して、患者に医療流体を送達するための方法１５０の工程図である。固定具１２３は、例えば、上述のスリーブ１２４（図５）あるいはバンド１３０（図６Ａ−Ｂならびに７Ａ−Ｂ）を含む、任意の適切なサイズ、形状、構成、および／または種類のものであり得る。新しい固定具１２３を使用する際、方法１５０の第１のステップ１５２は、データ記憶デバイス１２０を含む固定具１２３をシリンジ１０７に取り付けることであり得る。上述のように、シリンジ１０７は、例えば、シリンジ２８（図１）、８６（図２Ａ−Ｂ）、または自動注入器１０８と併用するための任意の他の適切な医療容器を含む、任意の適切な医療容器であり得る。スリーブ１２４が利用される場合、固定具１２３を医療容器に取り付けるステップ１５２は、第１および第２の縁１２６、１２８を分離するステップと、シリンジ１０７のシリンジ外筒１１１の周りに、スリーブ１２４をスナップ留めするステップとを含み得る。バンド１３０が利用される場合、固定具１２３をシリンジ１０７に取り付けるステップ１５２は、上述のように、ツール１３４を使用して、第１および第２の縁部分１４２、１４４を分離し、バンド１３０をシリンジ１０７のシリンジ外筒１１１の周りに配置する前に、バンド１３０をロック解除するステップを含み得る。
【００７９】
方法１５０の次のステップ１５４は、例えば、上述の充填部１１０等、充填部上にシリンジ１０７を設置することであり得る。シリンジ１０７を充填部１１０上に設置するステップは、充填部１１０の読み書きデバイス１１４の視野内の位置において、シリンジ１０７を充填部１１０のバルク容器１１２と相互接続するステップを含み得、それによって、読み書きデバイス１１４は、固定具１２３のデータ記憶デバイス１２０と通信可能となる。
【００８０】
シリンジ１０７が、充填部１１０上に設置されると、次のステップ１５６は、流体をシリンジ１０７内に装填することであり得る。次いで、方法１５０は、充填部１１０の読み書きデバイス１１４が、関連充填データをデータ記憶デバイス１２０に記憶する、ステップ１５８に進み得る。ステップ１５４、１５６、および１５８の順番は、改変され得ることを理解されたい。言い換えると、これらのステップは、好ましい制度的プロトコル、プロセス、または手順と一致する、任意の適切な順番で完了され得る。例えば、流体をシリンジ１０７内に装填し、充填データをデータ記憶デバイス１２０に記憶するステップは、並行して完了され得る。別の実施例では、充填データをデータ記憶デバイス１２０に記憶するステップは、シリンジ１０７の充填部１１０上への設置に先立って、完了され得る。
【００８１】
方法１５０の次のステップ１６０は、上述のように、撮像室、カテーテル検査室、病室等の最終用途場所を含み得る、第１の場所に、充填されたシリンジ１０７および取り付けられた固定具１２３を輸送することであり得る。シリンジ１０７を輸送するステップは、例えば、郵便または宅急便（登録商標）、人的送達、または自動病院流通システムを含む、任意の適切な様式で完了され得る。
【００８２】
最終用途場所では、方法１５０は、ステップ１６２に進み得る。ステップ１６２の実行の際、シリンジ１０７は、自動注入器１０８または任意の他の適切な自動注入器（例えば、図１の自動注入器１０、図２Ａ−Ｃの自動注入器４０）上に設置され得る。シリンジ１０７を自動注入器１０８上に設置するステップは、シリンジ１０７のプランジャ（図示せず）を、例えば、シリンジプランジャドライバアセンブリ５６（図２Ｃ）等のシリンジプランジャドライバアセンブリに相互接続するステップを含み得る。接続されると、自動注入器１０８は、シリンジ１０７のプランジャを駆動（例えば、前進および／または後退）させるように動作可能であり得る。また、ステップ１６２は、シリンジ１０７に設定される管類等、任意の適切な消耗品を相互接続するステップを含み得る。
【００８３】
シリンジ１０７が、自動注入器１０８上に設置されると、方法１５０の次のステップ１６４は、自動注入器１０８の読み書きデバイス１２２が、データ記憶デバイス１２０上に記憶された充填データを読み取ることであり得る。この点において、シリンジ１０７は、固定具１２３のデータ記憶デバイス１２０が、自動注入器１０８のＲＦＩＤ読み書きデバイス１２２の視野内にあるように、自動注入器１０８上に設置され得る。
【００８４】
データ記憶デバイス１２０からの充填データが読み取られると、次のステップ１６６は、データ記憶デバイス１２０上に記憶された充填データと比較して、自動注入器１０８にプログラムされた注入プロトコルの実行可能性を検証することであり得る。本検証は、充填データをプログラムされた注入プロトコルと比較し、例えば、シリンジ１０７が使用されていないこと（すなわち、シリンジ１０７が、患者内にさらに放出されていない）、シリンジ１０７内に含まれる流体が期限切れではないこと、シリンジ１０７が正確な濃度および体積内の流体を含むこと、患者識別情報が正確であることを確認し、または充填部１１０において、データ記憶デバイス１２０に記憶された任意の他の関連充填データを確認する形態をとり得る。
【００８５】
注入手技の実行可能性を検証するステップは、種々の方法で行われ得る。例えば、オペレータが、充填データを再検討し、注入手技が実行可能であることを確認し得、または代替として、自動注入器１０８および／または読み書きデバイス１２２と併せて実装される論理が、データ記憶デバイス１２０上に記憶された充填データを、他のデータ記憶デバイス（例えば、患者識別ブレスレットまたはオペレータ識別バッジ内に配置または組み込まれる、データ記憶デバイス）、あるいは自動注入器１０８が行うように調製されるプログラムされた注入プロトコルから得られた情報と自動的に比較し得る。検証は、例えば、誤った流体の患者内への注入、期限切れ流体の患者内への注入、特定の患者および／またはシリンジに対する誤ったプロトコルの使用、使用済みまたは空のシリンジの患者内への注入を含む注入手技の際の犠牲の大きいおよび／または危険な過失の潜在性を低減させ得る。
【００８６】
注入手技の実行可能性が検証されると、方法１５０は、ステップ１６８に進み得る。ステップ１６８の実行は、プログラムされた注入プロトコルに従って、自動注入器１０８を使用して、シリンジ１０７から流体を患者内に放出するステップを含み得る。同時またはその前後に、自動注入器１０８の読み書きデバイス１２２は、後続読取および／または記録のために、注入データをデータ記憶デバイス１２０に記憶する次のステップ１７０を完了し得る。そのような注入データは、使用体積、廃棄体積、シリンジ１０７が使用された（例えば、流体が、シリンジ１０７から放出された）ことの表示、および／または任意の他の適切な注入データを含み得る。
【００８７】
注目すべきことに、流体をシリンジ１０７から放出し、注入データをデータ記憶デバイス１２０に記憶するステップは、好ましい制度的プロセスまたは手順に一致する、任意の適切な順番で完了され得る。例えば、流体をシリンジ１０７から放出し、注入データをデータ記憶デバイス１２０に記憶するステップは、並行して完了され得、または代替として、注入データをデータ記憶デバイス１２０に記憶するステップは、流体がシリンジ１０７から放出される前に完了され得る。
【００８８】
加えて、充填部１１０においてデータ記憶デバイス１２０に記憶された充填データと、自動注入器１０８においてデータ記憶デバイス１２０に記憶された注入データと、データ記憶デバイス１２０に記憶され、または読み書きデバイス１１４、１２２によって読み取られた本明細書に説明される任意の他の情報は、注入プロセスを超えた目的のために使用され得ることを理解されたい。例えば、そのような情報は、在庫、請求、機器性能、患者注入履歴、および／またはオペレータ活動を追跡するために使用され得る。方法１５０の際、読み書きデバイス１１４、１２２は、また、ローカルネットワーク（例えば、病院および／または出荷あるいは輸送システム）と界面接触し、関連情報を取得、検証、および／またはアップロードし得る。
【００８９】
次のステップ１７２は、シリンジ１０７を自動注入器１０８から除去することであって、その後、固定具１２３を使用済みシリンジ１０７から除去するステップ１７４が続き得る。ステップ１７２および１７４は、手動で実行されるか、自動化プロセスの一部として実行されるか、または手動および自動化選択肢の両方の組み合わせとして実行され得る。例えば、バンド１３０（図６Ａ−Ｂおよび７Ａ−Ｂ）が、シリンジ１０７のシリンジ外筒１１１の周りにロックされる事例では、固定具１２３をシリンジ１０７から除去するステップ１７４は、オペレータが、上述のように、手持式ツール１３４を使用して、ロック１３２をロック解除するステップを含み得る。代替として、自動注入器１０８は、ロック解除機構（例えば、図８に示される注入器ピンまたは複数のピン１４６）を自動的に採用し、注入手技の終了時、バンド１３０をロック解除し得る。さらに、オペレータが、シリンジ１０７を自動注入器１０８から手動で除去し得、または自動注入器１０８が、注入手技の終了時、シリンジ１０７を自動的に取り出し得る。
【００９０】
固定具１２３が除去された後、方法は、任意の適切な様式で、使用済みシリンジ１０７を廃棄するステップを含み得るステップ１７６に進み得る。代替として、いくつかの限定事例では、ステップ１７６は、再使用のために、シリンジ１０７を再滅菌するステップを伴い得る。
【００９１】
次のステップ１７８は、新しいシリンジ１０７と再使用するために、固定具１２３を充填部１１０に返送するステップを含み得る。固定具１２３を充填部１１０に返送するステップは、例えば、郵便または宅急便（登録商標）、人的送達、あるいは自動病院医療流通システム等を含む任意の適切な様式で完了され得る。また、固定具１２３を使用済みシリンジ１０７から除去し、使用済みシリンジ１０７を廃棄し、新しいシリンジ１０７と再使用するために、固定具１２３を充填部１１０に返送するステップは、制度的プロトコル、実践、または手技と一致する任意の適切な順番で完了され得ることを理解されたい。例えば、固定具１２３は、充填部１１０に返送される場合、シリンジ１０７に取り付けられたままであり得、その場合、固定具１２３は、シリンジ１０７が、廃棄されるか、または再滅菌のために送付される前に、シリンジ１０７から除去され得る。固定具１２３は、取り付けられたシリンジ１０７が使用されたことを意味する、データ記憶デバイス１２０を含むので、固定具１２３が充填部１１０に戻されるまで、固定具１２３をシリンジ１０７上の定位置に残すことは、取り付けられたシリンジ１０７を誤って再使用する（例えば、自動注入器１０８を最終用途場所で使用し、空のシリンジ１０７を同一患者内に放出する、または使用済みシリンジ１０７を別の患者内に放出する）危険性を回避するのに有用となり得る。
【００９２】
固定具１２３が、充填部１１０に返送されると、方法１５０の次のステップ１８０は、固定具１２３が、別の注入手技のために、第２のシリンジ１０７に取り付けられる前に、充填部１１０の読み書きデバイス１１４を使用して、データ記憶デバイス１２０をデータ消去するステップを伴い得る。データ記憶デバイス１２０のデータ消去は、方法１５０の別個かつ個別のステップであり得、または第２の充填データセットをデータ記憶デバイス１２０に記憶するステップ１５８内に包含され得ることを理解されたい。すなわち、充填部１１０の読み書きデバイス１１４は、単純に、第１の充填データセットを新しい注入手技のための第２の充填データセットによって上書きし、それによって、データ記憶デバイス１２０を別個にデータ消去する必要性を排除し得る。別の選択肢は、固定具１２３のシリンジからの除去の一部として、データ記憶デバイス１２０のデータ消去を行うことであって、固定具１２３の除去が、関連データ記憶デバイス１２０のデータ消去を自動的にもたすことができる。
【００９３】
読み書きデバイス１１４のための論理は、任意の適切なソフトウェア、ファームウェア、またはハードウェアで、１つ以上のプラットフォームを使用して、１つ以上のプロセッサを使用して、任意の適切な種類のメモリを使用して、任意の適切な種類の任意の単一のコンピュータ、または任意の適切な様式で相互接続された任意の適切な種類の複数のコンピュータを使用して、またはそれらの任意の組み合わせを含む任意の適切な様式で実装され得る。さらに、ＲＦＩＤ読み書きデバイス１１４のための論理は、任意の単一の場所で、または任意の適切な様式で（例えば、任意の種類のネットワークを介して）相互接続される複数の場所で実装され得る。
【００９４】
上述に基づいて、固定具１２３は、個々に、または任意の組み合わせにおいて、該当し得る、以下のいくつかの特性化を必要とする。１）固定具１２３は、シリンジ１０７に着脱可能に搭載されるものとして特徴付けられ得る、２）固定具１２３は、複数のシリンジ１０７のそれぞれ上に別個に設置可能として特徴付けられ得る、すなわち、固定具１２３は、１つのシリンジ１０７上に設置され、本シリンジ１０７から除去され、次いで、別のシリンジ１０７上に設置され得る、３）固定具１２３は、接続構造を含むものとして特徴付けられ、本接続構造は、固定具１２３をシリンジ１０７上に設置可能にする構成であって、本接続構造は、固定具１２３が、本同一接続構造を使用して、異なるシリンジ１０７上に設置され得るように、固定具１２３が１つのシリンジ１０７から除去されても、無傷のままであり得るような構成であること。
【００９５】
本発明の上述の説明は、例証および説明の目的ために提示されている。さらに、本説明は、本発明を本明細書で開示される形態に限定することを目的としない。その結果、変形例および修正は、上述の教示に相応し、関連技術の技能および知識は、本発明の範囲内である。さらに、上述で説明される実施形態は、本発明を実践する公知の最良のモードを説明すること、およびそのような実施形態または他の実施形態で、かつ本発明の特定の用途または使用法によって必要とされる種々の修正とともに、当業者が本発明を利用できるようにすることを目的とする。添付の請求項は、従来技術によって可能となる程度において、代替実施形態を含むと解釈されることが意図される。
【図１】
0005475107.tif 000002
【図２Ａ】
0005475107.tif 000003
【図２Ｂ】
0005475107.tif 000004
【図２Ｃ】
0005475107.tif 000005
【図３】
0005475107.tif 000006
【図４】
0005475107.tif 000007
【図５】
0005475107.tif 000008
【図６Ａ】
0005475107.tif 000009
【図６Ｂ】
0005475107.tif 000010
【図７Ａ】
0005475107.tif 000011
【図７Ｂ】
0005475107.tif 000012
【図８】
0005475107.tif 000013
【図９】
0005475107.tif 000014